(57)【要約】【課題】  本考案は室内側ドアに取付けるリモコンキーであり、室外からは設置していることが全く現れなく、ピッキング犯罪等を防止し、又設置が容易である。【解決手段】  本考案は室内側ドアに取付け、室外からは全く現れることなく、ピッキング犯罪等を防止する。又強力粘着テープ９の粘着力によりドアを瑕つけることなく取付けられ工事が不要である。位置調整金棒３によって高さを調節できるので工具を一切使用せず組み立てられる。さらに本体と金棒を固定する鋼材４を落下防止カバー５−２で固定するので安心であり外観もお洒落で上品である。又鍵穴を探す必要がなく、車椅子等身体の不自由な方にも役立つ物である。【選択図】図４
0003105194.tif 000002
【実用新案登録請求の範囲】
【請求項１】
建築物等に取付けられた固定ドア枠Ｈ−２に対して建具ドアＨ−１に移動可能に配位され取付けられた建具錠機構１においてこの建具錠機構１はドアＨ−１に取付けられた基板２と基板２に設けられ基板２から距離の調整が可能である位置調整金棒３と位置調整金棒３に取付けられた上下自在な閂片６が内蔵された錠本体１−１と有するものでありそれに錠本体１−１と金棒を固定する鋼板４を差し込むことにより位置調整金棒３と錠本体１−１を固定し錠本体１−１と金棒を固定する鋼板４がズレ落ちないようにする落下防止カバー５−２を落下防止カバー挿し込み穴５−１に挿し込み固定するものであり、閂片６はリモコン操作によって出没動作がなされるものであることを特徴とする建具用錠機構である。
【考案の詳細な説明】
【技術分野】
【０００１】  本願考案は、ドア等開閉する建具に設けられる建具用錠機構に関し、工具を一切使用せず取付けられるものである。【０００２】  住宅等等のドアを施錠するための手段としては、従来より工事及び工具が広く用いられている。ここの製品は鍵穴に凹凸が刻まれた鍵を挿入し回転させることにより、鍵穴の内部に複数配置されている、棒状態であるタンブラーを移動させ解錠可能な状態とするもの。【０００３】  ０００２で延べたシリンダー錠は、鍵穴に針金等を差し込むことによって解錠されてしまうことがあり、しっかり施錠しているにもかかわらず、シリンダー錠の知識がある者により、窃盗等の被害にあうことがあり不安なものであった。【０００４】  上記に延べた対策として一つのドアにシリンダー錠をもう一つ設けた番号入力による電子式錠、指紋式錠に交換する方法が考えられるが、それぞれの錠機構の形状が一致しない為、大掛かりな工事と費用がネックになり対応が難しかった。
【考案の開示】
【考案が解決しようとする課題】
【０００５】  本願考案は上記の問題に鑑みてなされたものであり、従来の錠等が取付けられたドアに対して簡単な方法でなおかつ工具を一切使用せずに取付けられる。防犯対策を施することの出来る錠機構を提供することを課題とする。
【課題を解決するための手段】
【０００６】  本願第一の考案は、建物に取付けられた固定ドア枠Ｈ−２に対してドアＨ−１に取付けられた建具用錠機構１において、建具用錠機構１は建具ドアＨ−１に対して取付けられた基板２、固定された基板２からの距離の調整が可能である。位置調整金棒３に調整、本体と金棒を固定する鋼板４によって固定、リモコン操作によって閂６が上下し固定枠Ｈ−２に固定、解錠ができる特徴とする建具用錠機構を提供する。
【考案の効果】
【０００７】  本製品は上記のように構成され取付けられるものである為、建具ドアＨ−１には錠機構は全く現れることがない。よっていわゆる「ピッキング」犯等により不正手段で解錠されてしまうことなく、高い安全性を有するものである。
【考案の実態形態】
【０００８】  図面に基づき本願考案の実施形態の一例をあげて説明する。図１図２は、本例の建具錠機構を四方向から示す図であり、図３図４は本例の建具錠機構をドアにつけた状態である。
【０００９】  本例の建具錠機構１は図３図４に示されているように、ドア枠Ｈ−２と共にドアＨ−１に取付けて使用するものである。
【００１０】  基板２は充分な強度の強さを有する平坦な鋼板を用いている。基板２の片面には強力粘着テープ９が取付けられこの強力粘着テープ９によりドアＨ−１の室内側の面に接着される。強力粘着テープは充分な貼り付け強度を持つ両面テープを用いる。これによりドアＨ−１には穴あけ、ボルト締め等の特別な工事を必要としない。
【００１１】  基板２の多面には位置調整金棒３が設けられている。この位置調整金棒３はアルミ硬材を２．５ミリの凹凸状の金棒にしたもので、高さを調整することができる。調整したあと本体と金棒を固定する鋼板４を錠本体１−１と位置調整金棒３の間（上下）に挿し込み、落下防止カバー５−２を落下防止カバー挿し込み穴５−１に挿し込むことにより固定されなおかつ充分な強度を保ち概観もお洒落で上品である。
【００１２】  建具錠機構１−１はアルミニュウムでできた箱状の物で、この中に電池モーター、ギア、電気回路等からなる駆動機構によって閂片６が上下作動する。閂片６が錠本体１−１から突き出したさいドア枠に接しドアＨ−１が開かない仕組みになっている。
【００１３】  建具用錠機構１−１とは別体のリモコン（図示しない）によって駆動される。リモコンは操作時に微弱な電波が発信される物であり、その電波を建具用錠機構１−１に内蔵されている。受信部が捕らえられることにより、駆動される。
【００１４】  上記の他に建具用錠機構１−１には手動レバー１０、ブザー電池残量警告灯７が設けられている。手動レバー１０は室内側から手動操作により閂６を操作することができる。ブザーは施解錠時及び電池残量が少なくなった時、音を発する物であり、施錠解錠及び電池交換が確実に行われことを使用者に知らせる物である。電池残量警告灯は電池の交換時期が近づいた際に点灯するもの。
【００１５】  ここで従来の錠機構図５に示すように落下防止ゴムＡを挿し込み固定する物であるが概観が良くない物であった。これに対し本製品、落下防止カバー５−２は概観もお洒落で上品でありなおかつ覆い被せる為、特に落下しにくいものである。
【実施例】
【００１６】  本願の考案にあたっては、ドア等の建具に室外から錠機構が全く現れず不正手段により解錠されてしまうことがなく、高い安全性を有し、建具ドアＨ−１固定ドア枠Ｈ−２に穴あけ取付け工事と工具を一切使用せず、女性にも容易に取付けられ、概観もお洒落で上品な製品である。【００１７】  本製品は暗い場所でも鍵穴を探す必要がなく車椅子等身体の不自由な方でも容易に開閉することができるものである。
【図面の簡単な説明】
【００１８】
【図１】Ａ−１からＡ−２は本願考案実施形態の一例である二方向から示す図面である。
【図２】Ａ−３からＡ−４は本願考案実施形態の一例である二方向から示す図面である。
【図３】同建具用錠機構をドアに取付けた状態を示す斜視図である。
【図４】同建具用錠機構をドアに取付けた状態を示す上図である。
【図５】従来の建具用錠機構の斜視図である。
【符号の説明】
【００１９】  １          建具用錠機構  １−１      錠本体  ２          基板  ３          位置調整金棒  ４          本体と金棒を固定する鋼板  ５−１      落下防止カバーを挿し込む穴  ５−２      落下防止カバー  ６          閂片  ７          電池残量警告灯  ８          アンテナ  ９          強力粘着テープ  １０        手動操作レバー  Ｈ−１      建具ドア  Ｈ−２      固定ドア枠  Ａ          落下防止ゴム
【図１】
0003105194.tif 000003
【図２】
0003105194.tif 000004
【図３】
0003105194.tif 000005
【図４】
0003105194.tif 000006
【図５】
0003105194.tif 000007